(57)【要約】【課題】主に小型犬の環椎軸椎亜脱臼治療に際して、施術が可能となる獣医用環椎軸椎亜脱臼治療用器具および方法を提供する。【解決手段】環椎（１）に固定されるフック部（１０）と、軸椎（２）に固定されるクリップ部（２０）と、相互間の間隔を任意に決定してフック部（１０）およびクリップ部（２０）を相互に揺動可能に連結固定することが可能な連結部（３０）とからなる。フック部（１０）は、環椎（１）の椎弓（１ａ）に引っ掛ける形状を有し、クリップ部（２０）は、軸椎（２）の棘突起（２ａ）を挟む形状であり、それぞれネジ（１１、２１）によりこれらの部位を把持するように固定され、連結部（３０）は、一端が、フック部（１０）にスライド可能に取り付けられ、他端が、クリップ部（２０）に対して任意の位置で固定可能である。【選択図】図１
2009131375.tif 000002
【特許請求の範囲】
【請求項１】
環椎に固定されるフック部と、軸椎に固定されるクリップ部と、前記フック部に幅方向に揺動可能に取り付けられ、相互間の間隔を任意に決定して該フック部および該クリップ部を連結固定することが可能な連結部とからなる獣医用環椎軸椎亜脱臼治療用器具。
【請求項２】
前記フック部は、環椎の椎弓に引っ掛ける形状を有し、椎弓を両側から把持することにより、該椎弓に固定される請求項１に記載の獣医用環椎軸椎亜脱臼治療用器具。
【請求項３】
前記クリップ部は、軸椎の棘突起を挟む形状を有し、棘突起を両側から把持することにより、該棘突起に固定される請求項１または２に記載の獣医用環椎軸椎亜脱臼治療用器具。
【請求項４】
前記フック部が、前記椎弓の外側に配置され、前記連結部が接続され、かつ、ネジ孔が設けられた基部と、前記椎弓の内側に当接するカギ部と、前記基部とカギ部を連結する結合部とを有し、前記ネジ孔を通じて前記椎弓を押圧するネジと前記カギ部との把持力により前記椎弓に固定される請求項１〜３のいずれかに記載の獣医用環椎軸椎亜脱臼治療用器具。
【請求項５】
前記クリップ部は、前記棘突起が挟まれる部分の両側にネジ孔を有し、該ネジ孔を通じて前記棘突起を押圧するネジにより前記棘突起に固定される請求項１〜４のいずれかに記載の獣医用環椎軸椎亜脱臼治療用器具。
【請求項６】
前記クリップ部は、前記環椎側で棘突起が挟まれる部分から外れた部分に、前記連結部を受け入れる連結溝が形成され、該連結溝に固定ネジが設けられ、前記連結部の該連結溝に受け入れられる部分には、該固定ネジが貫通する長孔が設けられ、所定位置で該固定ネジをネジ止めすることで前記クリップ部と連結部が接続固定される請求項１〜５のいずれかに記載の獣医用環椎軸椎亜脱臼治療用器具。
【請求項７】
請求項１から６のいずれかに記載された獣医用環椎軸椎亜脱臼治療用器具を使用し、小動物を横臥させ、頚部を曲げた状態にして、環椎にフック部を固定する第１ステップと、軸椎にクリップ部を固定する第２ステップと、環椎と軸椎とを引き寄せて正常な位置に固定することにより、立位における頭を自然状態とする第３ステップとからなる環椎軸椎亜脱臼治療方法。
【発明の詳細な説明】
【技術分野】
【０００１】
本発明は、主に小型犬のような小動物に対して、頚椎靱帯断裂等により環椎と軸椎とが離隔したことに起因する環椎軸椎亜脱臼を治療するため、離隔した環椎と軸椎とを、引き寄せて正常な位置に固定する獣医用環椎軸亜脱臼治療用器具に関する。
【背景技術】
【０００２】
従来の環椎軸椎亜脱臼の治療においては、離隔した環椎と軸椎とを引き寄せて固定するために、金属製等のワイヤを使用したり、ステンレス製等の複数のプレートを使用している。
【０００３】
金属製等のワイヤのような紐状部材を使用する方法では、離隔した環椎と軸椎とを引き寄せて固定する際に、軸椎の棘突起に孔を形成した後、環椎の椎弓の内側に紐状部材を通し、さらに前記孔に通して、該紐状部材で環椎と軸椎とを引っ張って固定する。
【０００４】
しかし、環椎の椎弓の内側に紐状部材を通す必要があり、この際、脊髄を損傷させる危険性がある。また、術後にも、環椎の椎弓や軸椎の棘突起が損傷したり、ワイヤ自体が破損する危険性がある。よって、かかる施術に対しては、術者の技量に極めて高い水準が要求され、リスク低減の観点からも一般的には採用しがたいという問題がある。
【０００５】
このような問題を解決するために、たとえば特開平７−１３６１９６号公報に記載されているように、複数のプレートを用いる方法が提案されている。この方法では、金属製等のワイヤを骨に通さないため、脊髄を術中に損傷させる危険性が少なく、術者の技量に関係なく施術が可能となる。
【０００６】
しかし、予めプレートに多数の孔が開口され、孔同士を連結することにより固定するため、環椎と軸椎とを引き寄せて固定する両者の間の間隔は、孔の位置に依存することになり、微調整が困難である。このため、しっかりと環椎と軸椎とを固定できないという問題がある。また、かかる器具では、棘突起の両側を走行する重要な腱や血管と、使用するプレートとが接近するため、術中や術後に、これらを傷つける危険性があるという問題もある。さらには、環椎と軸椎は、相対的な移動が制限された状態で固定されるため、身震い等のように小動物の急激な運動により、器具が損傷し、致命的な問題を生ずる可能性もある。
【特許文献１】特開平７−１３６１９６号公報
【発明の開示】
【発明が解決しようとする課題】
【０００７】
本発明の目的は、主に小型犬のような小動物の環椎軸椎亜脱臼治療にあたり、環椎および軸椎の相対的な移動を可能としつつ、これらを固定するための施術を簡易になすことを可能とする獣医用環椎軸椎亜脱臼治療用器具および方法を提供することである。
【課題を解決するための手段】
【０００８】
本発明の獣医用環椎軸椎亜脱臼治療用器具は、環椎に固定されるフック部と、軸椎に固定されるクリップ部と、前記フック部に幅方向に揺動可能に取り付けられ、相互間の間隔を任意に決定して該フック部および該クリップ部を連結固定することが可能な連結部とからなる。
【０００９】
前記フック部は、環椎の椎弓に引っ掛ける形状を有し、椎弓を両側から把持することにより、該椎弓に固定されることが好ましい。
【００１０】
前記クリップ部は、軸椎の棘突起を挟む形状を有し、棘突起を両側から把持することにより、該棘突起に固定されることが好ましい。
【００１１】
前記フック部が、前記椎弓の外側に配置され、前記連結部が接続され、かつ、ネジ孔が設けられた基部と、前記椎弓の内側に当接するカギ部と、前記基部とカギ部を連結する結合部とを有し、前記ネジ孔を通じて前記椎弓を押圧するネジと前記カギ部との把持力により前記椎弓に固定されることが好ましい。
【００１２】
前記クリップ部は、前記棘突起が挟まれる部分の両側にネジ孔を有し、該ネジ孔を通じて前記棘突起を押圧するネジにより前記棘突起に固定されることが好ましい。
【００１３】
前記クリップ部は、前記環椎側で棘突起が挟まれる部分から外れた部分に、前記連結部を受け入れる連結溝が形成され、該溝に固定ネジが設けられ、前記連結部の該連結溝に受け入れられる部分には、該固定ネジが貫通する長孔が設けられ、所定位置で該固定ネジをネジ止めすることで前記クリップ部と連結部が接続固定されることが好ましい。
【００１４】
本発明の環椎軸椎亜脱臼治療方法は、前述のいずれかの獣医用環椎軸椎亜脱臼治療用器具を使用し、小動物を横臥させ、頚部を曲げた状態にして、環椎にフック部を固定する第１ステップと、軸椎にクリップ部を固定する第２ステップと、環椎と軸椎とを引き寄せて正常な位置に固定することにより、立位における頭を自然状態とする第３ステップとからなる。
【発明の効果】
【００１５】
本発明により、主に小型犬のような小動物の環椎軸椎亜脱臼治療の際に、術者の特別な技量の有無に関わらず、また、脊髄等の損傷のリスクを考慮することなく、環椎と軸椎を固定する施術を簡便に行うことが可能となる。環椎の椎弓と、軸椎の棘突起はそれぞれ単独でしっかりと固定されるため、外れる危険性が少ない。さらに、個体差に合わせ、自由で最適な位置での固定が可能となることにより、短時間で安全に施術することができ、術後の首の回転運動および衝撃を緩和するのに役立つという効果を得ることができる。特に、環椎の椎弓と、軸椎の棘突起のそれぞれに接触する面積が大きく、かつ、環椎および軸椎に孔を開けずに済むという顕著な効果を得ることができる。
【発明を実施するための最良の形態】
【００１６】
図面を参照して、本発明の一実施例について説明する。図１に、本発明の獣医用環椎軸椎亜脱臼治療用器具の一実施例を使用した状態を正面図で示し、図２に、平面図で示し、図３に、左側面図で示す。さらに、図４に、図１に示した獣医用環椎軸椎亜脱臼治療用器具のフック部を投影図で示す。また、図５に、図１の獣医用環椎軸椎亜脱臼治療用器具のクリップ部を投影図で示す。なお、図において、小動物の頭部は、図１および図２の左側、図３の手前側に存在する。
【００１７】
本発明の獣医用環椎軸椎亜脱臼治療用器具は、環椎（１）に固定されるフック部（１０）と、軸椎（２）に固定されるクリップ部（２０）と、相互間の間隔を任意に決定してフック部（１０）およびクリップ部（２０）を連結固定することを可能とする連結部（３０）とからなる。
【００１８】
フック部（１０）は、環椎（１）の椎弓（１ａ）に頭部側より引っ掛かる形状を有する。たとえば、フック部（１０）は、椎弓（１ａ）の表側に位置する基部（１０ｄ）と、椎弓（１ａ）の裏側（内側）に当接するカギ部（１０ａ）と、これらを結合する結合部（１０ｃ）とを備え、正面側から見た断面が略Ｕ字状となり、内面に環椎椎弓固定溝（１０ｇ）が形成される。
【００１９】
基部（１０ｄ）には、フック部（１０）全体を環椎（１）にネジ止めにより固定するための環椎固定用ネジ孔（１０ｆ）を備える。環椎固定用ネジ孔（１０ｆ）の数は、フック部（１０）をしっかりと固定できれば良く、幅方向（図２の上下方向）の２カ所に設けることが好ましい。さらにネジ止めの数を増やすことも可能であるが、２カ所のネジ止めにより、小動物に急激な動作があっても、フック部（１０）が環椎（１）から外れる危険性はなくなる。なお、図示のように、軸椎（２）側に伸長するネジ孔用突片部（１０ｅ）を設けて、このネジ孔用突片部（１０ｅ）に環椎固定用ネジ孔（１０ｆ）を形成することが好ましい。
【００２０】
カギ部（１０ａ）は、椎弓（１ａ）の内側と脊髄との間の空間に滑り込ませることが可能な厚さを有する。カギ部（１０ａ）の先端には、任意に凹部（１０ｂ）を形成して、分割することが好ましい。このように、カギ部（１０ａ）の先端を分割することにより、荷重が１カ所に集中することを避けることが可能となる。
【００２１】
また、基部（１０ｄ）の表側には、長溝（１０ｉ）を形成し、この長溝（１０ｉ）の内部には、連結部（３０）を長溝（１０ｉ）内に揺動（往復動）可能に固定するための連結部固定軸（１０ｈ）を設ける。
【００２２】
連結部（３０）は、一端が、フック部（１０）にスライド可能に取り付けられる。具体的には、一端の幅方向に連結部固定軸（１０ｈ）に外嵌される貫通孔（図示せず）を設ける。または、連結部（３０）の先端をカギ状として、フック部（１０）の形成後に、先端を弾性変形させて、連結部固定軸（１０ｈ）に外嵌させるようにしてもよい。このような構成により、連結部（３０）の一端は、フック部（１０）の内部で接続されるため、全体の大きさを抑制することができる。そして、フック部（１０）より所定角度（環椎と軸椎を固定する角度）で軸椎方向に突出する。連結部（３０）の他端には、クリップ部（２０）に対して任意の位置で固定可能となるように、縦方向（環椎から軸椎への方向）に長孔（３０ａ）が形成される。
【００２３】
クリップ部（２０）は、軸椎（２）の棘突起（２ａ）を挟む形状を有する。たとえば、次のような構造を採る。環椎（１）と逆側では、幅方向の断面形状が略Ｕ字状であり、内側に軸椎（２）の棘突起（２ａ）の形状に沿い、かつ、形状に合わせて、棘突起溝（２０ｂ）が縦方向に伸長している。棘突起溝（２０ｂ）が形成されている部分の外側の側面には、棘突起（２ａ）を挟んで固定するように、両側に、ネジ（２１）を固定可能なネジ孔（２０ａ）が形成されている。ネジ孔（２０ａ）は、しっかりとした固定のために２カ所に間隔をあけて形成することが好ましい。ただし、クリップ部（２０）が脱落しない程度に固定可能であれば、ネジ止めの箇所や数は任意である。
【００２４】
一方、環椎（１）側では、環椎（１）に向けて高さが低くなるように傾斜しており、表側の縦方向中央部に連結部（３０）を受け入れる連結用溝（２０ｃ）が形成されている。連結用溝（２０ｃ）内には、１つ以上、好ましくは２つの固定ネジ（２０ｄ）が底部より突出している。
【００２５】
このように構成されていることから、本発明の環椎軸椎亜脱臼治療用器具を用いることで、環椎（１）の椎弓（１ａ）をフック部（１０）の環椎椎弓固定溝（１０ｇ）が椎弓（１ａ）を覆うように嵌り、フック部（１０）が環椎（１）にしっかりと引っ掛かり固定される。一方、軸椎（２）の棘突起（２ａ）を、クリップ部（２０）が、両方から挟み込むようにしっかりと固定される。これらの固定は、ネジによる環椎（１）と軸椎（２）の表面に対する押圧によりなされ、これらに対して穿孔する必要がない。また、フック部（１０）とクリップ部（２０）の間を、連結部（３０）がしっかりと緊張状態で、かつ、クリップ部（２０）をフック部（１０）に対して揺動可能に固定する。このような構造により、環椎（１）の椎弓（１ａ）は、軸椎（２）の棘突起（２ａ）に対して、わずかな荷重やわずかな変位があった場合も、強固に固定されると共に、連結部（３０）を左右に揺動させることができる構造であることから、施術が容易になると共に、術後の首の回転運動や体の急激な運動に対して、衝撃を緩和することができる。
【００２６】
また、連結部（３０）は、フック部（１０）とクリップ部（２０）との間隔が最適となるように固定することができるので、個体差に合わせて、最適な固定状態を、短時間で安全に得ることが可能となる。
【００２７】
クリップ部（１０）、フック部（２０）および連結部（３０）の素材には、生体に安全なステンレスまたはチタン合金等か、それらを組み合わせて使用する。また、シリコンなどのように生体適合性があり、強度を有する材料も用いうる。
【００２８】
以下に、本発明の環椎軸椎亜脱臼治療について、図面を参照して説明する。
【００２９】
環椎軸椎亜脱臼治療の第１ステップでは、小型犬のような小動物は、横臥状態とし、立位で頚部が下を向くように屈曲させて、環椎（１）と軸椎（２）との間を広げるようにし、フック部（１０）の環椎椎弓固定溝（１０ｇ）を、環椎（１）の椎弓（１ａ）へ慎重に引っ掛け、環椎固定用ネジ孔（１０ｆ）に、２つのネジ（１１）をネジ入れ、カギ部（１０ａ）とネジ（１１）の先端とにより、環椎（１）の椎弓（１ａ）を挟んで固定する。
【００３０】
環椎軸椎亜脱臼治療の第２ステップでは、クリップ部（２０）の棘突起溝（２０ｂ）に、軸椎（２）の棘突起（２ａ）を挟み込み、ネジ孔（２０ａ）に左右からそれぞれ２つのネジ（２１）をネジ入れ、軸椎（２）の棘突起（２ａ）をしっかりと挟んで固定する。
【００３１】
環椎軸椎亜脱臼治療の第３ステップでは、小動物の頭が、自然な立位で前方を向くように、頚部を伸展させて位置決めをし、フック部（１０）に取り付けられている連結部（３０）を、クリップ部（２０）の連結用溝（２０ｃ）に通した後、クリップ部（２０）から伸び出る固定ネジ（２０ｄ）にナット（図示せず）によりしっかりと固定する。
【００３２】
以上の３つのステップにより、環椎軸椎亜脱臼治療を完了する。
【００３３】
なお、本発明について最良の実施形態に基づいて詳細な説明をなしたが、本発明は上述の具体的な構造には限られない。例えば、フック部は、環椎の椎弓内を貫通しない方法で固定されれば良い。また、結合部に弾性をもたせ、これにより椎弓を把持して、補助的にネジ止めすることに固定されても良い。また、クリップ部も、平面視で略Ｕ字形状として、環椎側で２枚の平板状の部材を連結するような構造も採りうる。
【００３４】
このように、本発明においては、環椎に固定されるフック部と、軸椎に固定されるクリップ部と、相互間の間隔を任意に決定して、かつ、相互間の相対的な幅方向の移動を可能とする連結部とから構成されていれば、その他の形状および固定、さらには、相互の部材間の連結の手段については、代替の手段を採りうる。
【図面の簡単な説明】
【００３５】
【図１】本発明の獣医用環椎軸椎亜脱臼治療用器具の一実施例を使用した状態を示す正面図である。
【図２】図１の状態の平面図である。
【図３】図１の状態の左側面図である。
【図４】図１の獣医用環椎軸椎亜脱臼治療用器具のフック部を示す投影図である。
【図５】図１の獣医用環椎軸椎亜脱臼治療用器具のクリップ部を示す投影図である。
【符号の説明】
【００３６】
１  環椎
１ａ  椎弓
２  軸椎
２ａ  棘突起
１０  フック部
１０ａ  カギ部
１０ｂ  凹部
１０ｃ  結合部
１０ｄ  基部
１０ｅ  ネジ孔用突片部
１０ｆ  環椎固定用ネジ孔
１０ｇ  環椎椎弓固定溝
１０ｈ  連結部固定軸
１０ｉ  長溝
１１  ネジ
２０  クリップ部
２０ａ  ネジ孔
２０ｂ  棘突起溝
２０ｃ  連結用溝
２０ｄ  固定ネジ
２１  ネジ
３０  連結部
３０ａ  長孔
【図１】
2009131375.tif 000003
【図２】
2009131375.tif 000004
【図３】
2009131375.tif 000005
【図４】
2009131375.tif 000006
【図５】
2009131375.tif 000007